(57)【要約】【課題】使用者の意図しない状態に切り替わることがないテーブル装置を提供することである。【解決手段】テーブル装置３は、テーブル座３０とテーブル板５０とが内装部材１０に格納された格納状態と、格納状態にあるテーブル座３０をテーブル板５０と共に内装部材１０に対して第１軸２１の軸回りに回転させて直立させた直立状態と、直立状態にあるテーブル板５０をテーブル座３０に対して第２軸６１の軸回りに回転させて略水平を成すように横倒れさせた使用可能状態とに切り替え可能となっている。このテーブル装置３は、格納状態から直立状態への切り替えが完了するまで使用可能状態への切り替わりを規制する第１ロック機構７０と、使用可能状態から直立状態への切り替えが完了するまで格納状態への切り替わりを規制する第２ロック機構７１とを備えている。【選択図】図９
2020168989.tif 000002
【特許請求の範囲】
【請求項１】
内装部材に対して第１軸を介して回転可能に組み付けられたテーブル座と、
前記テーブル座に対して第１軸と直交する第２軸を介して回転可能に組み付けられたテーブル板と、を備えており、
前記テーブル座と前記テーブル板とが前記内装部材に格納された格納状態と、
前記格納状態にある前記テーブル座を前記テーブル板と共に前記内装部材に対して前記第１軸の軸回りに回転させて直立させた直立状態と、
前記直立状態にある前記テーブル板を前記テーブル座に対して前記第２軸の軸回りに回転させて略水平を成すように横倒れさせた使用可能状態と、に切り替え可能なテーブル装置であって、
前記格納状態から前記直立状態への切り替えが完了するまで前記使用可能状態への切り替わりを規制する第１ロック機構と、
前記使用可能状態から前記直立状態への切り替えが完了するまで前記格納状態への切り替わりを規制する第２ロック機構と、を備えているテーブル装置。
【発明の詳細な説明】
【技術分野】
【０００１】
本発明は、テーブル装置に関し、詳しくは、テーブル座とテーブル板とを備えており、内装部材に格納された格納状態と、格納状態にあるテーブル座をテーブル板と共に回転させて直立させた直立状態と、直立状態にあるテーブル座に対してテーブル板を回転させて略水平を成すように横倒れさせた使用可能状態とに切り替え可能なテーブル装置に関する。
【背景技術】
【０００２】
従来、各種のテーブル装置が既に知られている。ここで、下記特許文献１には、内装部材１０２（例えば、肘掛）に対して第１軸１２１を介して回転可能に組み付けられたテーブル座１３０と、テーブル座１３０に対して第１軸１２１と直交する第２軸１６１を介して回転可能に組み付けられたテーブル板１５０とを備えたテーブル装置１０３が開示されている（図１４〜１５参照）。このテーブル装置１０３は、テーブル座１３０とテーブル板１５０とが内装部材１０２に格納された格納状態と、格納状態にあるテーブル座１３０をテーブル板１５０と共に第１軸の軸回りに回転させて反転させた反転状態と、反転状態にあるテーブル座１３０に対してテーブル板１５０を第２軸１６１の軸回りに回転させて略水平を成すように横倒れさせた使用可能状態とに切り替え可能となっている。これにより、テーブル装置１０３を使用するとき、例えば、内装部材１０２に隣り合うシート１０１に着座した使用者（図示しない）の太腿の上方位置で略水平を成すようにテーブル板１５０を展開できる。また、テーブル装置１０３を使用しないとき、使用者の邪魔になることがないように内装部材１０２にテーブル座１３０およびテーブル板１５０を格納できる。
【先行技術文献】
【特許文献】
【０００３】
【特許文献１】特開２００５−４８３号公報
【発明の概要】
【発明が解決しようとする課題】
【０００４】
上述した特許文献１の技術では、格納状態から反転状態への切り替えの途中にテーブル座１３０に対して第２軸１６１の軸回りにテーブル板１５０が横倒れしてしまうことがあった。また、使用可能状態において、内装部材１０２に対して第１軸１２１の軸回りにテーブル座１３０が回転（格納状態に向けて回転）してしまうことがあった。このように、使用者の意図しない状態にテーブル装置１０３が切り替わってしまうことがあった。
【０００５】
本発明は、このような事情に鑑みなされたものであって、本発明が解決しようとする課題は、使用者の意図しない状態に切り替わることがないテーブル装置を提供することである。
【課題を解決するための手段】
【０００６】
本開示の１つの特徴によると、テーブル装置は、内装部材に対して第１軸を介して回転可能に組み付けられたテーブル座と、テーブル座に対して第１軸と直交する第２軸を介して回転可能に組み付けられたテーブル板とを備えている。そして、このテーブル装置は、テーブル座とテーブル板とが内装部材に格納された格納状態と、格納状態にあるテーブル座をテーブル板と共に内装部材に対して第１軸の軸回りに回転させて直立させた直立状態と、直立状態にあるテーブル板をテーブル座に対して第２軸の軸回りに回転させて略水平を成すように横倒れさせた使用可能状態とに切り替え可能となっている。このテーブル装置は、格納状態から直立状態への切り替えが完了するまで使用可能状態への切り替わりを規制する第１ロック機構と、使用可能状態から直立状態への切り替えが完了するまで格納状態への切り替わりを規制する第２ロック機構とを備えている。
【０００７】
そのため、テーブル装置を格納状態から直立状態を介して使用可能状態に切り替えるとき、格納状態から直立状態への切り替えが完了するまで第１ロック機構によって使用可能状態への切り替わりが規制されている。また、第２ロック機構によって使用可能状態が保持されている。すなわち、使用可能状態から直立状態への切り替え（戻し）が完了するまで第２ロック機構によって格納状態への切り替わりが規制されている。したがって、使用者の意図しない状態にテーブル装置が切り替わることがない。
【図面の簡単な説明】
【０００８】
【図１】本発明の実施形態に係る自動車のリアシートを後側から見た斜視図である。
【図２】図１のコンソールボックスの拡大図である。
【図３】図２のテーブル装置の拡大図である（格納状態）。
【図４】図３のテーブル装置の主要部の左側面の模式図である（格納状態）。
【図５】テーブル装置の直立状態を示している（直立状態）。
【図６】図５のテーブル装置を右側から見た斜視図である（直立状態）。
【図７】図５のテーブル装置の主要部の左側面の模式図である（格納状態）。
【図８】テーブル装置の使用可能状態を示している（使用可能状態）。
【図９】図８のテーブル装置の分解図である（使用可能状態）。
【図１０】図８のテーブル装置を右側から見た斜視図である（使用可能状態）。
【図１１】図８のテーブル装置の縦断面図である（使用可能状態）。
【図１２】図８のテーブル装置の主要部の左側面の模式図である（格納状態）。
【図１３】図１２の主要部を透視した拡大図である（使用可能状態）。
【図１４】従来技術に係るテーブル装置の斜視図である（格納状態）。
【図１５】図１４のテーブル装置のヒンジ機構の拡大図である。
【発明を実施するための形態】
【０００９】
以下、本発明を実施するための形態を、図１〜１３を用いて説明する。なお、以下の説明にあたって、上、下、前、後、左、右とは、上述した図に記載した、上、下、前、後、左、右の方向、すなわち、リアシート１の向きを基準にしたときの上、下、前、後、左、右の方向を示している。
【００１０】
まず、本発明の実施形態に係る自動車のリアシート１に設けられるコンソールボックス２と、このコンソールボックス２の内部に組み付けられるテーブル装置３とを個別に説明する。
【００１１】
はじめに、コンソールボックス２から説明する（図１〜２参照）。このコンソールボックス２は、自動車（図示しない）のリアシート１（ベンチタイプのシート）の左右方向の中央に設けられるものであり、リアシート１の着座者（図示しない）の肘掛機能や小物（図示しない）を収納可能な収納機能等を備えた内装部材である。このコンソールボックス２は、上側に開口２ｂを有するボックス本体２ａと、このボックス本体２ａの開口２ｂを開閉可能なリッド２ｃとから構成されている。これにより、開口２ｂを開けると、ボックス本体２ａの内部から後述するテーブル座３０とテーブル板５０とを引き出すことができる。また、引き出したテーブル座３０とテーブル板５０とをボックス本体２ａの内部に格納できる。
【００１２】
次に、テーブル装置３を説明する（図３〜４、９、１１参照）。このテーブル装置３は、主として、テーブルベース１０と、テーブル座３０と、テーブル板５０とから構成されている。以下に、これらテーブルベース１０と、テーブル座３０と、テーブル板５０とを個別に説明する。なお、このテーブル座３０は、左右に対を成すように設けられている。なお、以下の説明では、左側のテーブル装置３のみを説明することで、右側のテーブル装置３の説明を省略する。また、図面においても、左側のテーブル装置３のみを図示しており、右側のテーブル装置３の図示を省略する。
【００１３】
まず、テーブルベース１０を説明する。このテーブルベース１０は、テーブル装置３のベース（基部）を成す部材であり、コンソールボックス２の内部に固着されている。このテーブルベース１０やコンソールボックス２が、特許請求の範囲に記載の「内装部材」に相当する。このテーブルベース１０には、円弧部１１が形成されている。この円弧部１１の外周には、後述するスライドロックピン４０に当接可能な突部１２が形成されている。また、この円弧部１１の外周における突部１２の下側には、後述する回転ロックピン４３を挿し込み可能な穴部１３が形成されている。
【００１４】
次に、テーブル座３０を説明する。このテーブル座３０は、主として、その骨格を成す矩形状のアームベース３１と、スライドベース３３と、ステイ３６とから構成されている。アームベース３１の左面には、スライドベース３３が長手方向に沿ってスライドするように組み付け可能なガイド溝３２が形成されている。スライドベース３３の基端の一方の隅には、第１脚体３４が形成されている。また、スライドベース３３の基端の他方の隅には、第２脚体３５が形成されている。この第２脚体３５の先端には、後述する回転ロックピンベース４２のテーパ部４２ａに当接可能なテーパ部３５ａが形成されている。
【００１５】
なお、アームベース３１の左面は、ガイド溝３２に組み付けたスライドベース３３が脱落することがないようにスライドホルダ３８によって覆われている。また、アームベース３１の右面には、スライドロックピン４０が短手方向に沿ってスライド可能に組み付けられている。なお、この組み付けたスライドロックピン４０とアームベース３１との間には、圧縮ばね４１が装着されている。そのため、後述する直立状態において、スライドロックピン４０はアームベース３１に対して前側に向けて付勢されている。このスライドロックピン４０と上述したスライドベース３３の第１脚体３４とが、特許請求の範囲に記載の「第１ロック機構７０」に相当する。
【００１６】
また、アームベース３１の左面には、回転ロックピンベース４２が短手方向に沿ってスライド可能に組み付けられている。この回転ロックピンベース４２には、上述したスライドベース３３の第２脚体３５のテーパ部３５ａに当接可能なテーパ部４２ａが形成されている。これら両テーパ部３５ａ、４２ａは、互いの軸心に対してθ１°とθ２°との角度を有するように形成されている。なお、このθ１°とθ２°とにおいては、θ１°＋θ２°＝９０°の関係が成立する。この回転ロックピンベース４２には、回転ロックピン４３が固着されている。なお、この組み付けられた回転ロックピンベース４２とアームベース３１との間には、圧縮ばね４４が装着されている。そのため、後述する直立状態において、回転ロックピンベース４２はアームベース３１に対して後側に向けて付勢されている。
【００１７】
この回転ロックピンベース４２と回転ロックピン４３と上述したテーブルベース１０の穴部１３とスライドベース３３の第２脚体３５とが、特許請求の範囲に記載の「第２ロック機構７１」に相当する。ステイ３６は、スライドベース３３と後述するテーブル板５０とに対する斜交いとしての機能を有する部材である。このステイ３６の基端は、スライドベース３３の先端に対してスライドシャフト３７を介して左右方向を軸方向とするヒンジ結合されている。なお、アームベース３１の左右の両面は、見栄えを向上させるために第１アームカバー４５、第２アームカバー４６によって覆われている。
【００１８】
最後に、テーブル板５０を説明する。このテーブル板５０には、後述する使用可能状態において上側の面に小物（図示しない）を載せ可能な載置面５１が形成されている。このテーブル板５０の載置面５１の反対側の面である反載置面５２は、ステイ３６の先端に対してステイシャフト６０を介して左右方向が軸方向となるようにヒンジ結合されている。また、このテーブル板５０の載置面５１の反対側の面である反載置面５２は、スライドベース３３の先端に対して左右に対を成すアームシャフト６１を介して左右方向が軸方向となるようにヒンジ結合されている。この左右に対を成すアームシャフト６１が、特許請求の範囲に記載の「第２軸」に相当する。
【００１９】
これらテーブルベース１０と、テーブル座３０と、テーブル板５０とからテーブル装置３は構成されている。なお、このテーブル装置３は、テーブル座３０のアームベース３１の基端とテーブルベース１０の円弧部１１とがベアリング２０を介して組み付けられている。これにより、テーブルベース１０に対してテーブル板５０と共にテーブル座３０をベアリング２０を介して回転させることができる。このベアリング２０の回転の中心の軸線を形成する仮想軸２１が、特許請求の範囲に記載の「第１軸」に相当する。
【００２０】
続いて、上述したテーブル装置３において、格納状態から直立状態を介して使用可能状態に切り替える手順を説明する（図２〜８、１０、１２〜１３参照）。まず、テーブル装置３が格納状態にあるときから説明する（図２〜３参照）。この格納状態とは、テーブル装置３のテーブル座３０とテーブル板５０とがコンソールボックス２に格納された状態のことである。なお、この格納状態では、テーブル座３０のスライドベース３３の第１脚体３４とスライドロックピン４０とが当接した状態となっている（図４参照）。そのため、このスライドロックピン４０によってスライドベース３３のスライドが規制されている。
【００２１】
はじめに、この格納状態からコンソールボックス２の開口２ｂを開けてボックス本体２ａの内部からテーブル板５０を引き起こす作業を行う。すると、テーブルベース１０に対してテーブル板５０と共にテーブル座３０がベアリング２０の仮想軸２１の軸回りに回転する。これにより、テーブル板５０と共にテーブル座３０が直立した直立状態に切り替わる（図５〜６参照）。この回転のとき、テーブルベース１０の突部１２に対してテーブル座３０のスライドロックピン４０が当接する。
【００２２】
そのため、スライドロックピン４０が圧縮ばね４１の付勢力に抗して退行（後退）する（図７参照）。したがって、スライドベース３３のスライドの規制が解除される。このようにスライドの規制が解除されないと、後述するようにテーブル装置３を使用可能状態に切り替えることができなくなっている。言い換えると、格納状態から直立状態への切り替えが完了するまで第１ロック機構７０によって使用可能状態への切り替わりが規制されている。
【００２３】
次に、この直立状態からテーブル板５０を略水平を成すように横倒す作業を行う。すると、テーブル座３０に対してテーブル板５０が左右に対を成すアームシャフト６１の軸回りに回転する。これにより、テーブル板５０が使用可能状態に切り替わる（図８、１０〜１１参照）。この回転と同時に、ステイ３６を介してスライドベース３３が下降（スライド）する。これにより、回転ロックピンベース４２のテーパ部４２ａに対して下降したスライドベース３３の第２脚体３５のテーパ部３５ａが当接する。そのため、回転ロックピンベース４２が圧縮ばね４４の付勢力に抗して退行（前進）する（図１２参照）。したがって、テーブルベース１０の穴部１３に対して退行した回転ロックピンベース４２の回転ロックピン４３が挿し込まれる（図１３参照）。
【００２４】
結果として、テーブルベース１０に対するテーブル座３０の回転が規制されるため、使用可能状態に切り替わったテーブル板５０がテーブル座３０と共にテーブルベース１０に対して回転することがない。すなわち、第２ロック機構７１によって使用可能状態が保持されている。言い換えると、使用可能状態から直立状態への切り替え（戻し）が完了するまで第２ロック機構７１によって格納状態への切り替わりが規制されている。なお、上述したテーブル装置３において、使用可能状態から逆の手順を行うと、使用可能状態から直立状態を介して格納状態に切り替える（戻す）ことができる。
【００２５】
本発明の実施形態に係るテーブル装置３は、上述したように構成されている。この構成によれば、テーブル装置３は、主として、テーブルベース１０と、テーブル座３０と、テーブル板５０とから構成されている。このように構成されたテーブル装置３は、テーブル座３０とテーブル板５０とがコンソールボックス２に格納された格納状態に切り替え可能となっている。また、このように構成されたテーブル装置３は、格納状態にあるテーブル座３０をテーブル板５０と共にテーブルベース１０に対してベアリング２０の仮想軸２１の軸回りに回転させて直立させた直立状態に切り替え可能となっている。また、このように構成されたテーブル装置３は、直立状態にあるテーブル板５０をテーブル座３０に対して左右に対を成すアームシャフト６１の軸回りに回転させて略水平を成すように横倒れさせた使用可能状態に切り替え可能となっている。そして、テーブル装置３を格納状態から直立状態を介して使用可能状態に切り替えるとき、格納状態から直立状態への切り替えが完了するまで第１ロック機構７０によって使用可能状態への切り替わりが規制されている。また、第２ロック機構７１によって使用可能状態が保持されている。すなわち、使用可能状態から直立状態への切り替え（戻し）が完了するまで第２ロック機構７１によって格納状態への切り替わりが規制されている。そのため、使用者の意図しない状態にテーブル装置３が切り替わることがない。
【００２６】
なお、本発明の実施形態に係るテーブル装置３にあっては、上記した実施の形態に限定されるものではなく、次のように適宜個所を変更して構成するようにしてもよい。格納状態において、テーブル座３０とテーブル板５０の各先端が後側を向くようにコンソールボックス２に格納される形態を説明した。しかし、これに限定されるものでなく、格納状態において、テーブル座３０とテーブル板５０の各先端が下側を向くようにコンソールボックス２に格納される形態でも構わない。
【００２７】
また、テーブル座３０とテーブル板５０は、コンソールボックス２に格納される形態を説明した。しかし、これに限定されるものでなく、テーブル座３０とテーブル板５０は、各種の内装部材（例えば、リアシート１の横に取り付けられるカバー、自動車のドアの内側パネル等）に格納される形態でも構わない。
【符号の説明】
【００２８】
２      コンソールボックス（内装部材）
１０    テーブルベース（内装部材）
３      テーブル装置
２１    仮想軸（第１軸）
３０    テーブル座
５０    テーブル板
６１    アームシャフト（第２軸）
７０    第１ロック機構
７１    第２ロック機構
【図１】
2020168989.tif 000003
【図２】
2020168989.tif 000004
【図３】
2020168989.tif 000005
【図４】
2020168989.tif 000006
【図５】
2020168989.tif 000007
【図６】
2020168989.tif 000008
【図７】
2020168989.tif 000009
【図８】
2020168989.tif 000010
【図９】
2020168989.tif 000011
【図１０】
2020168989.tif 000012
【図１１】
2020168989.tif 000013
【図１２】
2020168989.tif 000014
【図１３】
2020168989.tif 000015
【図１４】
2020168989.tif 000016
【図１５】
2020168989.tif 000017